(57)【要約】【課題】放送される映像信号の予約記録において、放送される映像信号、音声信号、或いはデータ信号を予約記録する予約記録装置の記録動作を制御する予約記録制御装置を提供することを目的とする。【解決手段】放送予定の番組情報を含む番組情報が多重化された放送信号を受信して、記録装置に所望の番組を予約記録させる予約記録制御装置（ＴＲＣ）は、所望の番組の放送予定時間に、該所望の番組を記録するように記録装置を予約記録させるための記録予約番組表生成器（２００）と記録装置制御器（２２０）を含む。さらに、検出器（５４）は、放送予定の番組の中から記録予約する番組（Ｓｒｐ）の放送時間を遅延させる可能性のある番組（Ｓｄｐ）を検出する。その検出結果に応じて、ユーザは、操作入力器（５６）を操作して記録装置（５２）の記録終了時間（Ｓｒｅｔ）を所望の時間（Ｔｐ）だけ遅延させるように記録予約番組表生成器（２００）および記録装置制御器（２２０）を制御する。【選択図】図１
2006141050.tif 000002
【特許請求の範囲】
【請求項１】
放送予定の複数の番組それぞれの放送源、放送開始時間、放送終了時間、およびジャンルを示す情報を含む番組情報が多重化された放送信号を受信して、該番組情報に基づいて、記録装置に該複数の番組の内の一つ以上の特定の番組を予約記録させる予約記録制御装置であって、
前記記録装置に、前記特定の番組の放送開始時間に該特定の番組の放送源からの放送信号の記録を開始させ、前記特定の番組の放送終了時間に記録を終了させる予約記録制御手段と、
前記放送予定の複数の番組の中から、前記特定の番組の放送時間を遅延させる可能性のある番組を検出する第１の番組検出手段と、
前記第１の番組検出手段の検出結果に応じて、前記記録装置に記録を終了させる時間を所望の時間だけ遅延させることができる予約記録制御補正制御手段を備える予約記録制御装置。
【請求項２】
前記所望の時間は０を含むことを特徴とする請求項１に記載の予約記録制御装置。
【請求項３】
前記第１の番組検出手段は、前記番組情報から放送源が前記特定の番組の放送源と同一、放送開始時間が前記特定の番組の放送開始時間より早く、且つ特定のジャンルの番組を検出することを特徴とする請求項１に記載の予約記録制御装置。
【請求項４】
前記第１の番組検出手段の検出結果を表示する表示手段をさらに備える請求項１に記載の予約記録制御装置。
【請求項５】
任意な時間を入力する入力手段を更に備え、前記表示手段に表示される検出結果をユーザが確認しながら前記所望の時間として任意な時間を入力できることを特徴とする請求項４に記載の予約記録制御装置。
【請求項６】
前記特定番組の内で、放送開始時間が、前記所定時間だけ遅延させられる記録終了時間より早い番組を検出する第２の番組検出手段を備える請求項１に記載の予約記録制御装置。
【請求項７】
前記第２の番組検出手段は、検出された番組から放送源が前記所定時間だけ遅延させられる特定番組の放送源と異なる放送源の番組のみを検出することを特徴とする請求項６に記載の予約記録制御装置。
【請求項８】
前記第１の番組検出手段の検出結果と前記第２の番組検出手段の検出結果を表示する表示手段をさらに備える請求項６に記載の予約記録制御装置。
【請求項９】
任意な時間を入力する入力手段を更に備え、前記表示手段に表示される検出結果をユーザが確認しながら前記所望の時間として任意な時間を入力できることを特徴とする請求項８に記載の予約記録制御装置。
【請求項１０】
前記記録装置の記録可能時間を検出する記録可能時間検出手段を更に備え、検出された記録可能時間に応じて、前記記録装置に記録を終了させる時間を所望の時間だけ遅延させることを特徴とする請求項１に記載の予約記録制御装置。
【請求項１１】
前記記録可能時間と所望の時間だけ遅延させた時の前記特定の番組の記録時間を比較する記録時間比較手段と、
該記録可能時間が該記録時間より長い場合には、前記記録装置の記録を終了させる時間を所望の時間だけ遅延させる記録予約管理手段とをさらに備える請求項１０に記載の予約記録制御装置。
【請求項１２】
前記記録可能時間が該記録時間より短い場合には、前記第１の番組検出手段の検出結果と前記記録可能時間を表示する表示手段をさらに備える請求項１１に記載の予約記録制御装置。
【請求項１３】
任意な時間を入力する入力手段を更に備え、前記表示手段の表示をユーザが確認しながら前記所望の時間として任意な時間を入力できることを特徴とする請求項１２に記載の予約記録制御装置。
【請求項１４】
前記予約記録制御補正制御手段は、
前記所望の時間の代わりに、所定の遅延時間を呈示する遅延時間呈示手段を含む請求項５に記載の予約記録制御装置。
【請求項１５】
前記遅延時間呈示手段は、ユーザにより入力された前記所望の時間の統計結果に基づいて、前記所定の遅延時間を更新することを特徴とする請求項１４に記載の予約記録制御装置。
【発明の詳細な説明】
【技術分野】
【０００１】
本発明は、放送される映像信号の予約記録を行う予約記録装置に関する。更に詳述すれば、本発明は放送される映像信号、音声信号、或いはデータ信号を予約記録する予約記録装置の記録動作を制御する予約記録制御装置に関する。
【背景技術】
【０００２】
近年、文字多重放送を利用し、放送が予定されている個々の番組の内容を表す情報（以下、「番組情報」と称す）から成る番組表情報を、垂直帰線期間に重畳して放送するサービスが予定されている。このサービスを利用すると、放送波に重畳されている番組表情報を受信側でデコードすることで、放送予定の番組の放送局、放送日、放送開始時間、放送終了時間、および放送番組のジャンル等の番組情報を知ることができる。従って、予め番組情報を蓄積しておき、その蓄積された番組情報に基づいて、ユーザは所望の番組の放送開始に応じて録画するように録画装置を設定（以下、「録画予約」と称す）することによって、所望の番組を自動的に録画（以下、「予約録画」と称す）できる。
【発明の開示】
【発明が解決しようとする課題】
【０００３】
番組情報において、番組の放送時間を表す放送時間情報は、放送開始時間と放送終了時間で表される。放送時間情報を利用して録画予約設定をした場合に、録画予約された番組(以下、「録画予約番組」と称す)の放送開始時間以前に放送開始された番組が、その放送終了時間にも関わらず延長されて放送されることがある。この様な事態は、例えばスポーツ中継番組でよく生じる。
【０００４】
このように、録画予約された番組より先に放送開始された番組（以下、「先放送番組」と称す）が、その終了時間を超えて、その放送時間が延長されて放送されることによって、延長された放送時間だけ録画予約番組の放送開始が遅延される。つまり、録画予約番組に対する先行番組の延長時間だけ、録画予約放送の放送時間帯がずれる。
【０００５】
しかし、上記のような録画装置では、録画予約番組の予約録画開始時間および予約終了時間は、先行番組の延長に応じて更新されない。その結果、先行番組がスポーツ中継の延長のように延長された場合、録画予約番組が延長された時間分だけ録画されないという問題が生じる。
【０００６】
本発明は、このように録画予約番組に先行して放送される番組が、その本来の放送終了時間を超えて延長放送される可能性の有る場合には、ユーザの判断により、録画予約番組の録画終了時間を所定の時間だけ延長して、録画予約できる予約記録制御装置を提供することを目的とする。
【課題を解決するための手段】
【０００７】
本発明の第１の発明は、放送予定の複数の番組それぞれの放送源、放送開始時間、放送終了時間、およびジャンルを示す情報を含む番組情報が多重化された放送信号を受信して、番組情報に基づいて、記録装置に複数の番組の内の一つ以上の特定の番組を予約記録させる予約記録制御装置であって、
記録装置に、特定の番組の放送開始時間に特定の番組の放送源からの放送信号の記録を開始させ、特定の番組の終了時間に記録を終了させる予約記録制御器と、
放送予定の複数の番組の中から、特定の番組の放送時間を遅延させる可能性のある番組を検出する第１の番組検出器と、
第１の番組検出器の検出結果に応じて、記録装置に記録を終了させる時間を所望の時間だけ遅延させることができる予約記録制御補正制御器を備える予約記録装置。
上記のように、本発明の第１の発明においては、先に放送される番組の為に放送開始時間が遅れる可能性のある所望の番組を記録予約する場合にも、そのような先に放送される番組の内容に応じて、記録予約時間を所望の時間だけ延長することによって、最後まで所望の番組を予約記録できる。
【０００８】
本発明の第２の発明は、第１の発明において、所望の時間は０を含むことを特徴とする。
上記のように、本発明の第２の発明においては、予約記録時間を延長しないこともできる。
【０００９】
本発明の第３の発明は、第１の発明において、第１の番組検出器は、番組情報から放送源が特定の番組の放送源と同一、放送開始時間が特定の番組の放送開始時間より早く、且つ特定のジャンルの番組を検出することを特徴とする。
上記のように、本発明の第３の発明においては、特定の番組ジャンルで検索することによって、放送時間が延長される可能性の高い番組のみを検出できる。
【００１０】
本発明の第４の発明は、第１の発明において、第１の番組検出器の検出結果を表示する表示器をさらに備える。
上記のように、本発明の第４の発明においては、ユーザは記録予約する番組より先に放送されて放送時間が延長される可能性のある番組を確認しながら、記録予約時間の延長の要否を判断できる。
【００１１】
本発明の第５の発明は、第４の発明において、任意な時間を入力する入力器を更に備え、表示器に表示される検出結果をユーザが確認しながら所望の時間として任意な時間を入力できることを特徴とする。
上記のように、本発明の第５の発明においては、ユーザは記録予約する番組より先に放送されて放送時間が延長される可能性のある番組を確認しながら、判断した記録予約時間の延長時間を入力できる。
【００１２】
本発明の第６の発明は、第１の発明において、特定番組の内で、放送開始時間が、所定時間だけ遅延させられる記録終了時間より早い番組を検出する第２の番組検出器を備える。
上記のように、本発明の第６の発明においては、先行する記録予約番組の記録時間を延長することで、後続の記録予約番組で記録が損なわれる可能性のある番組を知ることができる。
【００１３】
本発明の第７の発明は、第６の発明において、第２の番組検出器は、検出された番組から放送源が所定時間だけ遅延させられる特定番組の放送源と異なる放送源の番組のみを検出することを特徴とする。
上記のように、本発明の第７の発明においては、検出対象から先に放送される番組の放送時間の延長に応じて延長される可能性の高い同一放送局による番組が除かれるので、検出される番組を絞り込むことができる。
【００１４】
本発明の第８の発明は、第６の発明において、第１の番組検出器の検出結果と第２の番組検出器の検出結果を表示する表示器をさらに備える。
上記のように、本発明の第８の発明においては、放送時間が延長になる可能性の高い番組、その番組が延長した場合に記録予約時間を延長しなければ全体が記録できなくなる可能性のある記録予約番組、その記録予約時間の延長によりさらに影響を受ける後続の記録予約番組の表示を確認しながら、記録予約時間の延長の要否を判断できる。
【００１５】
本発明の第９は、第８の発明において、任意な時間を入力する入力器を更に備え、表示器に表示される検出結果をユーザが確認しながら所望の時間として任意な時間を入力できることを特徴とする。
上記のように、本発明の第９の発明においては、放送時間が延長になる可能性の高い番組、その番組が延長した場合に記録予約時間を延長しなければ全体が記録できなくなる可能性のある記録予約番組、その記録予約時間の延長によりさらに影響をうける後続の記録予約番組の表示を確認しながら判断した記録予約時間の延長時間を入力できる。
【００１６】
本発明の第１０の発明は、第１の発明において、記録装置の記録可能時間を検出する記録可能時間検出器を更に備え、検出された記録可能時間に応じて、記録装置に記録を終了させる時間を所望の時間だけ遅延させることを特徴とする。
上記のように、本発明の第１０の発明においては、記録装置の記録可能時間に基づいて、記録予約番組の記録時間延長の可否を判断できる。
【００１７】
本発明の第１１の発明は、第１０の発明において、記録可能時間と所望の時間だけ遅延させた時の特定の番組の記録時間を比較する記録時間比較器と、
記録可能時間が記録時間より長い場合には、記録装置の記録を終了させる時間を所望の時間だけ遅延させる記録予約管理器とをさらに備える。
上記のように、本発明の第１１の発明においては、記録装置の記録可能時間が記録時間が延長された場合の記録予約番組の全体を記録出来る場合には、自動的に記録予約番組の記録時間を延長するので、ユーザの選択入力の手間を省ける。  本発明の第１２の発明は、第１１の発明において、記録可能時間が記録時間より短い場合には、第１の番組検出器の検出結果と記録可能時間を表示する表示器をさらに備える。
【００１８】
上記のように、本発明の第１２の発明においては、記録装置が記録時間を延長した記録予約番組の全体を記録できない場合には、放送時間が延長になる可能性の高い番組、その番組が延長した場合に記録予約時間を延長しなければ全体が記録できなくなる可能性のある記録予約番組、記録装置の記録可能時間の表示を確認しながら記録予約時間の延長の要否が判断できる。
【００１９】
本発明の第１３の発明は、第１２の発明において、任意な時間を入力する入力手器を更に備え、表示器の表示をユーザが確認しながら所望の時間として任意な時間を入力できることを特徴とする。
上記のように、本発明の第１３の発明においては、記録装置が記録時間を延長した予約記録番組の全体を記録できない場合には、放送時間が延長になる可能性の高い番組、その番組が延長した場合に記録予約時間を延長しなければ全体が記録できなくなる可能性のある記録予約番組、記録装置の記録可能時間の表示を確認しながら判断した記録予約時間の延長時間を入力できる。
【００２０】
本発明の第１４の発明は、第５の発明において、予約記録制御補正制御器は、  所望の時間の代わりに、所定の遅延時間を呈示する遅延時間呈示器を含む。
上記のように、本発明の第１４の発明においては、所望の延長時間として所定の遅延時間を呈示することにより、ユーザの入力の手間を省く。
【００２１】
本発明の第１５の発明は、第１４の発明において、遅延時間呈示器は、ユーザにより入力された所望の時間の統計結果に基づいて、所定の遅延時間を更新することを特徴とする。
上記のように、本発明の第１５の発明では、設定された延長時間の出現頻度の高い時間で所定の遅延時間を更新することによって、延長時間の設定の手間を省ける。
【発明を実施するための最良の形態】
【００２２】
本発明の実施例について、図面を参照しながら詳細に説明する。
（第１実施例）
図１、図２、図３および図４を参照して、本発明の第１の実施例にかかる予約記録制御装置を組み込んだ予約記録装置について説明する。本発明において、予約記録装置とは、有線あるいは無線に限らず、情報源から放送或いは配信されてくる音声信号、映像信号、コンピュータデータ等のデータ信号から構成される番組放送を、実際に放送される前に指定しておくことによって、実際の放送時に自動的に番組の内容を記録媒体に記録する装置を意味している。なお、本明細書中においては、このような放送番組を構成する信号を番組信号Ｓｐと称する。
【００２３】
図１に示すように、本例における予約記録装置ＴＲＡ１は、記録装置５２、予約記録制御装置ＴＲＣ１、表示器５５、および操作入力器５６を含む。操作入力器５６は、リモコンのようにユーザが操作して、ユーザが記録したい番組の記録予約指示を予約記録制御装置ＴＲＣ１に伝える記録予約指示信号Ｓｃを生成する。
【００２４】
予約記録制御装置ＴＲＣ１は、外部の多重放送波デコーダ（図示せず）に接続されて番組情報Ｉｔの入力を受けると共に、操作入力器５６に接続されて指令信号Ｓｃの入力を受ける。予約記録制御装置ＴＲＣ１は番組情報Ｉｔに基づいて今後放送が予定されている番組の内で、記録予約する番組（以下、「記録予約番組Ｓｒｐ」と称す）の内容を示す番組表情報Ｉｐｔを生成する。さらに、予約記録制御装置ＴＲＣ１は、番組表情報Ｉｐｔおよび記録予約指示信号Ｓｃに基づいて、記録予約番組Ｓｒｐを特定する記録予約番組表情報Ｉｐｔｓを生成する。
【００２５】
この記録予約番組表情報Ｉｐｔｓと前記番組情報Ｉｔに基づいて、予約記録制御装置ＴＲＣ１はさらに、記録予約する番組の予定放送時間に影響を与える可能性のある妨害候補番組Ｓｄｐを検出して妨害候補番組表Ｓｄｐｔを生成する。予約記録制御装置ＴＲＣ１は、さらに、この妨害候補番組表Ｓｄｐｔと記録予約番組表情報Ｉｐｔｓに基づいて、記録予約番組Ｓｒｐとその予約記録を妨害する可能性のある妨害候補番組Ｓｄｐを同時に表示する予約−妨害番組表ＴＤｐを生成する。
【００２６】
記録予約番組表情報Ｉｐｔｓに基づいて、予約記録制御装置ＴＲＣ１は、記録装置５２で記録する番組、記録の開始、および記録の終了を制御する記録装置制御信号Ｓｃｒを生成する。
【００２７】
記録装置５２は、外部の多重放送波デコーダに接続されて放送波に含まれる番組信号Ｓｐの入力を受けると共に、予約記録制御装置ＴＲＣ１に接続されて記録装置制御信号Ｓｃｒの入力を受ける。記録装置５２は、記録装置制御信号Ｓｃｒに基づいて、記録予約された番組を記録媒体に予約記録する。
【００２８】
表示器５５は、予約記録制御装置ＴＲＣ１に接続されて、番組表情報Ｉｐｔおよび予約−妨害番組表ＴＤｐの入力を受けて、それぞれの情報が示す内容を表示する。  表示器５５は、これらの番組情報を表示すると共に、メモリ（図示せず）に蓄積されている文字や図形を読み出して、文字列やグラフィクスを表示してもよい。表示器５５は、さらに記録装置５２に接続されて、番組信号Ｓｐの入力をうけて、放送中の番組、記録中の番組、或いは記録再生中の番組を表示する。番組信号Ｓｐが、前述のコンピュータデータの場合には、記録装置５２をコンピュータ装置に代えても良い。
【００２９】
予約記録制御装置ＴＲＣ１は、放送予定番組メモリ５１、検出器５４、放送予定番組表生成器１００、記録予約番組表生成器２００、記録予約番組メモリ２１０、および記録装置制御器２２０を含む。放送予定番組メモリ５１は、外部の多重放送波デコーダに接続されて、入力される番組情報Ｉｔに含まれる情報のうち、少なくとも放送番組の放送局Ｉｂｓ、放送日Ｉｂｄ、放送開始時間Ｉｂｂ、放送終了時間Ｉｂｅ、およびジャンルＩｂｊを表す情報を蓄積する。
【００３０】
図２および図３を参照して、文字多重放送でテレビ番組が放送される場合の番組表を表す番組情報Ｉｔについて説明する。なお、本例においては、テレビジョン番組に例を引いて説明しているが、本発明はテレビジョン番組の予約記録に限定されないことは言うまでもない。図２に、一例を示すように、番組情報Ｉｔは各種情報を表す個々のコードから成る。つまり、放送局情報Ｉｂｓは、放送局を特定する放送局コードＣａから成る。放送日情報Ｉｂｄは、放送開始年を特定する放送開始年コードＣｂと放送開始月を特定する放送開始月コードＣｃと放送開始日を特定する放送開始日コードＣｄとから成る。放送開始時間情報Ｉｂｂは、放送開始時間を特定する放送開始時コードＣｅと放送開始分を特定する放送開始分コードＣｆと放送開始秒を特定する放送開始秒コードＣｇとから成る。放送終了時間情報Ｉｂｅは、放送終了時間を特定する放送終了時コードＣｈと、放送終了分を特定する放送終了分コードＣｉと放送終了秒を特定する放送終了秒コードＣｊから成る。そしてジャンル情報Ｉｂｊは、放送番組のジャンルを特定する番組ジャンルコードＣｋである。これらのコードからなる番組情報Ｉｔのパケットが放送波の垂直帰線期間に重畳されて放送される。
【００３１】
さらに、ジャンル情報Ｉｂｊを表す番組ジャンルコードＣｋは、図３に示すように、ジャンルの内容別を表すサブコードＣｋから成る。これらのサブコードＣｋには、例えば、映画を表すサブコードＣｋ１、ドラマを表すサブコードＣｋ２、スポーツを表すサブコードＣｋ３、音楽を表すサブコードＣｋ４、芸能を表すサブコードＣｋ５、アニメを表すサブコードＣｋ６、ニュースを表すサブコードＣｋ７、教育を表すサブコードＣｋ８、趣味を表すサブコードＣｋ９、そしてその他を表すサブコードＣｋ１０を含む。
【００３２】
このように、本発明においては、番組を識別するための情報である番組情報Ｉｔを予め放送予定番組メモリ５１に蓄積する。また、上記のように、テレビ番組放送に例を引いて、番組情報Ｉｔについて説明したが、今後予定されているコンピュータデータに代表されるデータ放送についても、番組情報Ｉｔは同様に構成される。
【００３３】
図１に戻って、放送予定番組表生成器１００は、放送予定番組メモリ５１に接続されて、放送予定番組メモリ５１に蓄積されている前記番組情報Ｉｔに基づいて、現時刻の前後の所定時間範囲に渡って放送が予定されている番組の内容を示す番組表情報Ｉｐｔを生成する。
【００３４】
表示器５５は、放送予定番組表生成器１００に接続されて、番組表情報Ｉｐｔに基づいて、放送予定番組の内容を表示する。ユーザは、この表示器５５に表示される放送予定の番組表を見ながら、記録予約する番組を選択するべく操作入力器５６を操作して、記録予約指示信号Ｓｃを生成する。
【００３５】
記録予約番組表生成器２００は、放送予定番組表生成器１００に接続されて番組表情報Ｉｐｔの入力を受けると共に、操作入力器５６に接続されて記録予約指示信号Ｓｃの入力を受ける。記録予約番組表生成器２００は、記録予約指示信号Ｓｃに基づいて、ユーザが記録予約を指示する番組を特定する記録予約番組表情報Ｉｐｔｓを生成する。記録予約番組表情報Ｉｐｔｓは、記録予約する放送番組の放送局Ｉｂｓ、放送日Ｉｂｄ、放送開始時間Ｉｂｂ、放送終了時間Ｉｂｅ、およびジャンルＩｂｊのそれぞれを表す記録予約放送局Ｓｂｓ、予約記録開始時間Ｓｒｓｔ、予約記録終了時間Ｓｒｅｔ、および番組ジャンルコードＣｋの各種記録予約番組パラメータからなる。
【００３６】
検出器５４は、放送予定番組メモリ５１に接続されて番組情報Ｉｔの入力を受けると共に、記録予約番組表生成器２００に接続されて記録予約放送局Ｓｂｓおよび予約記録開始時間Ｓｒｓｔの入力を受ける。検出器５４は、番組情報Ｉｔを記録予約放送局Ｓｂｓおよび予約記録開始時間Ｓｒｓｔと所定の番組の内容を表すジャンルコードＣｋＮ（Ｎは正の整数）で検索して、記録予約した番組の放送開始時間に影響を与える可能性のある番組、つまり予約記録妨害候補番組Ｓｄｐを探し出す。なお、簡便化のために、以降、番組予約記録妨害候補番組Ｓｄｐを妨害候補番組Ｓｄｐと略称する。
【００３７】
そして、検出器５４は探し出した妨害候補番組Ｓｄｐの内容を表す妨害候補番組表Ｓｄｐｔを作成する。つまり、検出器５４は、放送予定番組メモリ５１に記録されている番組情報Ｉｔを検索して、その放送局情報Ｉｂｓが記録予約放送局Ｓｂｓと同一で、放送開始時間情報Ｉｂｂが予約記録開始時間Ｓｒｓｔより早く、且つ番組ジャンルコードＣｋが所定の番組ジャンルコードＣｋＮと一致する番組Ｓｄｐを全て見つけだして妨害候補番組表Ｓｄｐｔを生成する。
【００３８】
所定の番組ジャンルコードＣｋＮは、スポーツ中継などのように、ゲームが終了するまで放送終了時間が延長されることが多いジャンルが選ばれる。この意味において番組ジャンルコードＣｋＮは、予約記録妨害ジャンルコードＣｋＮと定義できる。この意味において、予約記録妨害ジャンルＣｋＮはスポーツ中継以外の任意のジャンルを予め設定しておいても良いし、ユーザが操作入力器５６を操作して記録予約するさいに任意のジャンルを予約記録妨害ジャンルＣｋＮとして入力するように構成しても良い。
【００３９】
記録予約番組表生成器２００は、さらに検出器５４に接続されて、妨害候補番組表Ｓｄｐｔの入力を受けて、既に生成した記録予約番組表情報Ｉｐｔｓと妨害候補番組表Ｓｄｐｔを対比して表示する予約−妨害番組表ＴＤｐを生成する。表示器５５は、記録予約番組表生成器２００に接続されて、予約−妨害番組表ＴＤｐの内容を表示してユーザに提示する。
【００４０】
ユーザは、表示器５５に表示された予約−妨害番組表ＴＤｐを見て、記録予約する番組の予約記録終了時間Ｓｒｅｔを延長するか否かを判断する。そして、ユーザは、その判断結果と共に延長する場合には延長時間Ｔｐを操作入力器５６を用いて記録予約指示信号Ｓｃとして記録予約番組表生成器２００（予約記録制御装置ＴＲＣ１）に入力する。
【００４１】
記録予約番組表生成器２００は、記録予約指示信号Ｓｃに基づいて、予約記録終了時間Ｓｒｅｔを延長時間Ｔｐ分だけ延長した時間に書き換えて、記録予約番組表情報Ｉｐｔｓを再生成すると共に表示器５５および記録予約番組メモリ２１０に出力する。
【００４２】
記録予約番組メモリ２１０は、記録予約番組表生成器２００に接続されて、再生成されてた記録予約番組表情報Ｉｐｔｓの入力を受けて保存する。
【００４３】
表示器５５は、記録予約番組表情報Ｉｐｔｓの内容を前述の予約−妨害番組表ＴＤｐの一部としてユーザに提示する。ユーザは提示された記録予約番組表情報Ｉｐｔｓの内容が満足であれば、その旨を操作入力器５６を操作して記録予約指示信号Ｓｃとして記録予約番組表生成器２００に入力する。一方、記録予約番組表情報Ｉｐｔｓの内容が不満足であれば、ユーザは表示器５５に表示される予約−妨害番組表ＴＤｐを確認しながら、所望な延長時間Ｔｐを決定して入力する。つまりユーザは、予約−妨害番組表ＴＤｐに表示される全妨害候補番組Ｓｄｐを考慮して、全記録予約番組Ｓｒｐについて、その予約記録終了時間Ｓｒｅｔの延長時間Ｔｐを記録予約番組表生成器２００に入力して、記録予約番組表情報Ｉｐｔｓを生成する。
【００４４】
記録装置制御器２２０は記録予約番組メモリ２１０に接続されて、記録予約番組表情報Ｉｐｔｓの入力を受ける。そして、記録装置制御器２２０は入力される記録予約番組表情報Ｉｐｔｓに基づいて、記録予約番組表情報Ｉｐｔｓに規定されている記録予約放送局Ｓｂｓ、予約記録開始時間Ｓｒｓｔ、および予約記録終了時間Ｓｒｅｔに基づいて、記録装置５２の動作を制御する記録装置制御信号Ｓｃｒを生成する。なお、記録装置５２は例えばビデオテープレコーダ等の記録再生装置であり、放送番組を記録するものである。
【００４５】
上述のように、ユーザが記録予約する番組を操作入力器５６を用いて入力すると、それに応じて予約記録制御装置ＴＲＣ１は記録予約された番組の終了時間（放送時間）に影響を与える可能性の高い番組を列挙して、ユーザが記録装置５２の記録終了時間を所望の時間だけ遅らせて設定することを特徴とする。
【００４６】
図４に示すフローチャートを参照して、上述の予約記録制御装置ＴＲＣ１の動作について説明する。
【００４７】
先ず、ステップＳ２において、放送予定番組表生成器１００は放送予定番組メモリ５１に記憶されている番組情報Ｉｔに基づいて、放送予定されている番組の内容を表す番組表情報Ｉｐｔを作成する。この番組表情報Ｉｐｔに基づいて、表示器５５は放送予定されている番組表Ｐｔを画像として表示する。
【００４８】
ステップＳ４において、ステップＳ２でユーザは表示器５５に表示された番組表Ｐｔを参考にして、記録予約したい番組を決定する。そして、ユーザは操作入力器５６を操作して、決定した記録予約の内容を表す記録予約指示信号Ｓｃを生成して、予約記録制御装置ＴＲＣ１に出力する。予約記録制御装置ＴＲＣ１の記録予約番組表生成器２００は、入力された記録予約指示信号Ｓｃに基づいて、予約記録の設定を行い記録予約番組表情報Ｉｐｔｓを生成する。つまり、記録予約番組表生成器２００は記録予約指示信号Ｓｃにもとづいて、放送予定番組表生成器１００から入力される番組表情報Ｉｐｔから、記録予約する番組の放送局情報Ｉｂｓ（放送局コードＣａ）、放送日情報Ｉｂｄ（放送開始年コードＣｂ、放送開始月コードＣｃ、放送開始日コードＣｄ）、放送開始時間情報Ｉｂｂ（放送開始時コードＣｅ、放送開始分コードＣｆ、放送開始秒コードＣｇ）、放送終了時間情報Ｉｂｅ（放送終了時コードＣｈ、放送終了分コードＣｉ、放送終了秒コードＣｊ）を抽出する。
【００４９】
ステップＳ６において、記録予約番組表生成器２００は検出器５４を用いて、予約記録番組と同じ放送局、つまり同じチャンネルで放送され、この予約記録番組の放送時間以前に放送される予定の特定のジャンルの番組の有無を検出する。つまり、記録予約された番組の記録予約放送局Ｓｂｓと同じ放送局情報Ｉｂｓと、予約記録開始時間Ｓｒｓｔより以前の放送開始時間情報Ｉｂｂと、所定の番組の内容を表すジャンルコードＣｋＮとを有する番組を妨害候補番組Ｓｄｐとして検出するために、検出器５４は放送予定番組メモリ５１に記憶されている番組情報Ｉｔを検索する。特定のジャンルの番組を表すコードＣｋＮとしては、例えばスポーツを示すサブコードＣｋ３が設定される。
【００５０】
ステップＳ８において、ステップＳ６の検索の結果、妨害候補番組Ｓｄｐが検出されなかった場合、つまり、該当する放送局情報Ｉｂｓ、放送開始時間情報Ｉｂｂ、および番組ジャンルコードＣｋＮを有する番組を検出しなかった場合には、Ｎｏと判断される。そして、処理はステップＳ３８に進む。
【００５１】
ステップＳ３８において、放送終了時間情報Ｉｂｅを予約記録終了時間Ｓｒｅｔに設定して処理を終了する。
【００５２】
一方、ステップＳ８において、妨害候補番組Ｓｄｐが検出された場合、つまりスポーツ（Ｃｋ３）のように放送終了時間情報Ｉｂｅに規定される終了時間に終了せずに、記録予約した番組の予約記録開始時間Ｓｒｓｔを超えて放送が延長される可能性のある番組がある場合には、ＹＥＳと判断されてステップＳ１０に進む。
【００５３】
ステップＳ１０において、検出器５４は、探し出された全妨害候補番組Ｓｄｐの内容を表す妨害候補番組表Ｓｄｐｔを生成する。そして、記録予約番組表生成器２００は、妨害候補番組表Ｓｄｐｔと番組表情報Ｉｐｔに基づいて予約−妨害番組表ＴＤｐを生成する。更に、表示器５５はこの予約−妨害番組表ＴＤｐを表示する。
【００５４】
ステップＳ１２において、ユーザは表示器５５に表示される、予約−妨害番組表ＴＤｐをみて、予約記録番組の予約記録終了時間Ｓｒｅｔを繰り下げるか否かを判断する。予約記録終了時間Ｓｒｅｔを繰り下げない場合には、前述のステップＳ３８に進んだ後に処理を終了する。一方、予約記録終了時間Ｓｒｅｔを繰り下げる場合には、ステップＳ１４に進む。
【００５５】
ステップＳ１４において、記録予約番組表生成器２００は、検出された妨害候補番組Ｓｄｐ毎に対応して、予め定められた基準延長時間Ｔｐｐを予約−妨害番組表ＴＤｐ中に表示する。そして、処理は次のステップＳ１６に進む。
【００５６】
ステップＳ１６において、ユーザは、記録予約番組Ｓｒｐの予約記録終了時間Ｓｒｅｔを延長する延長時間Ｔｐとして、基準延長時間Ｔｐｐが適切であるか否かを判断する。基準延長時間Ｔｐｐが適切であると判断した場合は、ステップＳ２０に進む。
【００５７】
ステップＳ２０において、延長時間初期値を延長時間Ｔｐに設定する。そして、処理はステップＳ３６に進む。
【００５８】
一方、ステップＳ１６で基準延長時間Ｔｐｐが適切で無いと判断した場合は、ステップＳ１８に進む。
【００５９】
ステップＳ１８において、ユーザは操作入力器５６を用いて、延長時間Ｔｐを入力する。そして、処理はステップＳ３６に進む。
【００６０】
ステップＳ３６において、予約記録終了時間Ｓｒｅｔを延長時間Ｔｐだけ延長した時間に書き換えて、記録予約番組表情報Ｉｐｔｓを再生成すると共に記録予約番組メモリ２１０に記録する。
【００６１】
また、ステップＳ８およびステップＳ１２で、Ｎｏと判断された場合には、ステップＳ３８において、記録予約番組Ｓｒｐの放送終了時間Ｉｂｅを予約記録終了時間Ｓｒｅｔに設定して、記録予約番組表情報Ｉｐｔｓを再生成すると共に記録予約番組メモリ２１０に記録する。
【００６２】
このようにして、本発明の予約記録制御装置ＴＲＣ１によれば、記録予約する番組と同放送局（チャンネル）の番組で、その記録予約する番組以前に放送予定で特定のジャンルの番組である番組予約記録妨害番組が有る場合、その旨を予約記録妨害番組表としてユーザに提示すると共に、記録予約する番組の記録終了時刻の設定遅延の要否をユーザに問い合わせる。そして、ユーザは、提示された予約記録妨害番組表を考慮して、記録終了時刻の変更を判断して、ユーザの使い勝手が良いように予約記録を実行することができる。
【００６３】
（第２実施例）
図５および図６を参照して、本発明の第２実施例にかかる予約記録制御装置について説明する。図５に示すように、本実施例にかかる予約記録制御装置ＴＲＣ２は、図１に示した予約記録制御装置ＴＲＣ１の記録予約番組表生成器２００と記録予約番組メモリ２１０の間に、記録予約番組管理器２０２が追加された構成を有している。なお、この追加された記録予約番組管理器２０２と記録予約番組表生成器２００とで第１記録予約管理器２００Ａを構成している。
【００６４】
記録予約番組管理器２０２は、ユーザが記録予約する番組の予約記録終了時間Ｓｒｅｔを所望の延長時間Ｔｐだけ延長する場合に、図４を参照して述べたステップＳ１８あるいはステップＳ２０で更新された予約記録終了時間Ｓｒｅｔで記録予約番組表情報Ｉｐｔｓを検索して、この記録延長により予約記録時間に影響を受ける可能性のある後続の記録予約番組Ｓｒｐを記録予約被害候補番組Ｓｖｐとして探し出す。この場合、記録予約放送局Ｓｂｓは検索条件ではない。
【００６５】
なお、簡便化のために、以降、記録予約被害候補番組Ｓｖｐを被害候補番組Ｓｖｐと略称する。また、予約記録終了時間Ｓｒｅｔが延長されれば、後続の被害候補番組Ｓｖｐに対して妨害候補番組Ｓｄｐとして働く可能性がある記録予約番組Ｓｒｐを加害候補番組Ａｐｃと称する。
【００６６】
記録予約番組管理器２０２はさらに、検出された全被害候補番組Ｓｖｐを表す被害候補番組表Ｓｖｐｔを生成して表示器５５に出力する。
【００６７】
ユーザは、表示器５５に表示された被害候補組表Ｓｖｐｔを見て、記録予約する番組の予約記録終了時間Ｓｒｅｔを延長するか否かを判断する。そして、ユーザは、その判断結果と共に延長する場合には、操作入力器５６を用いて延長時間Ｔｐを記録予約指示信号Ｓｃとして記録予約番組表生成器２００（予約記録制御装置ＴＲＣ２）に入力する。
【００６８】
番組を一つだけ記録予約する場合には、上述の第１実施例におけるように、先行する妨害候補番組Ｓｄｐによる影響を避けるために、記録予約番組Ｓｒｐの予約記録終了時間Ｓｒｅｔを所定の延長時間Ｔｐだけ延長することが有効である。しかし、複数の番組を記録予約する場合には、記録予約番組Ｓｒｐの一つの予約記録終了時間Ｓｒｅｔを延長すると、後続の記録予約番組Ｓｒｐの放送開始時間情報Ｉｂｂにまで食い込んでしまうことがある。特に、この二つの記録予約番組Ｓｒｐの放送元が違っている場合には、後続の記録予約番組Ｓｒｐの放送開始時間Ｉｂｂになっても、先行する記録予約番組Ｓｒｐが引き続き記録されることがある。この場合、先行する記録予約番組Ｓｒｐが後続の記録予約番組に対して妨害候補番組Ｓｄｐとして振る舞う。
【００６９】
そのため、本実施例においては、第１記録予約管理器２００Ａによって、一つの記録予約番組ＳｒｐＯ（Ｏは正の整数）が後続の記録予約番組ＳｒｐＰ（ＰはＯより大きな整数）に対して妨害候補番組Ｓｄｐとなり得る場合を検出してユーザに適切な対応を問いかけるものである。ユーザは、この第１記録予約管理器２００Ａからの問いかけに対して、自身の意志を伝える記録予約指示信号Ｓｃを第１記録予約管理器２００Ａに入力する。記録予約番組管理器２０２は、このユーザの意志（Ｓｃ）に基づいて、記録予約番組表情報ＩｐｔｓＲを生成する。記録予約番組メモリ２１０は、この記録予約番組表情報ＩｐｔｓＲを記録し、記録装置制御器２２０は記録予約番組表情報ＩｐｔｓＲに基づいて記録装置制御信号Ｓｃｒを生成する。
【００７０】
図６に示すフローチャートを参照して、上述の予約記録制御装置ＴＲＣ２の動作について説明する。図６のフローチャートは、図４に示すフローチャートのステップＳ１８とステップＳ３６の間に、ステップＳ２２、ステップＳ２４、ステップＳ２６、およびステップＳ３４が挿入されている。ゆえに、図４を参照して既に説明済みの動作についての説明は省いて、これら新たに挿入されたステップに関連する動作についてのみ説明する。
【００７１】
つまり、ステップＳ２からステップＳ１６の処理を経て、ステップＳ１８あるいはステップＳ２０で延長時間Ｔｐが適正に設定された後、ステップＳ２２に進む。
【００７２】
ステップＳ２２において、記録予約番組管理器２０２は、更新された予約記録終了時間Ｓｒｅｔで記録予約番組表情報Ｉｐｔｓを検索して、ステップＳ１２において指示された予約記録終了時間Ｓｒｅｔの延長により影響を受ける可能性のある被害候補番組Ｓｖｐを探し出す。そして、処理は次のステップＳ２４に進む。
【００７３】
ステップＳ２４において、被害候補番組Ｓｖｐが検出されたか否かが判断される。被害候補番組Ｓｖｐが検出されなかった場合には、Ｎｏと判断されて、ステップＳ３６に進む。一方、被害候補番組Ｓｖｐが検出された場合には、Ｙｅｓと判断されて、ステップＳ２６に進む。
【００７４】
ステップＳ２６において、記録予約番組管理器２０２は、被害候補番組Ｓｖｐの全てを表す被害候補番組表Ｓｖｐｔを生成して、表示器５５に出力して表示させる。そして、処理はステップＳ３４に進む。
【００７５】
ステップＳ３４において、ユーザは被害候補番組表Ｓｖｐｔに表示される個々の被害候補番組Ｓｖｐに対する、ステップＳ１２に於ける予約記録終了時間Ｓｒｅｔ延長を実行した場合の影響を検討する。そして、ユーザはその延長処理を実行するか否かを判断する。ステップＳ１２に於ける延長を実行する場合には、ステップＳ３６に進む。一方、延長を実行しない場合は、ステップＳ３８に進む。  上述のように、ステップＳ２２およびＳ２４において、被害候補番組Ｓｖｐ（ＳｒｐＯ）の予約記録終了時間Ｓｒｅｔを延長時間Ｔｐだけ遅延させた時間で（Ｓｒｅｔ）で、後続の記録予約番組Ｓｒｐの予約記録開始時間Ｓｒｓｔを検索することによって、この延長時間Ｔｐだけ遅延させた番組の後続の記録予約番組Ｓｒｐで被害候補番組Ｓｖｐになるものの有無を検出する。ユーザは、ステップＳ２６で呈示された検索結果をみて、ステップＳ３４で被害候補番組Ｓｖｐの予約記録終了時間Ｓｒｅｔ延長の是非を判断する。そして、ユーザの判断結果によって、上述のステップＳ３６或いはステップＳ３８で予約記録終了時間Ｓｒｅｔが然るべく設定される。このように、本実施例においては、被害候補番組Ｓｖｐが見つかっても、その予約記録終了時間Ｓｒｅｔを単純に延長することによって、その被害候補番組ＳｖｐＯ自体が後続の記録予約番組Ｓｒｐに対して妨害候補番組Ｓｄｐになってしまう事態を避けることができる。
【００７６】
（第３実施例）
図７および図８を参照して本発明の第３実施例にかかる予約記録制御装置について説明する。図７に示すように、本実施例にかかる予約記録制御装置ＴＲＣ３は、図５に示した予約記録制御装置ＴＲＣ２の記録予約番組管理器２０２を記録可能時間検出器２０４と交換した構成を有している。そして、この記録可能時間検出器２０４と記録予約番組表生成器２００とで第２記録予約管理器２００Ｂを構成している。
【００７７】
記録可能時間検出器２０４は、記録装置５２に接続されて、記録装置５２の記録媒体に残された記録可能時間Ｔｒｔを検出して、記録予約容量信号Ｓａｒｔを生成する。記録可能時間検出器２０４は、記録予約容量信号Ｓａｒｔを表示器５５に出力して、記録装置５２の記録可能時間Ｔｒｔを呈示する。
【００７８】
ユーザは、表示器５５に表示された記録可能時間を見て、記録予約するか否か、
記録予約された番組の予約記録終了時間Ｓｒｅｔを延長するか否かを判断する。そして、ユーザは、操作入力器５６を用いて判断結果を記録予約指示信号Ｓｃとして記録予約番組表生成器２００に入力する。
【００７９】
図８に示すフローチャートを参照して、上述の予約記録制御装置ＴＲＣ３の動作について説明する。図８のフローチャートは、図６に示すフローチャートのステップＳ２２の後に、ステップＳ２８が追加され、ステップＳ２４とＳ２６がステップＳ３０とＳ３２に交換されている。ゆえに、図６を参照して既に説明済みの動作を省いて、これら新たなステップに関連する動作についてのみ説明する。  第２実施例にかかる予約記録制御装置ＴＲＣ２におけるのと同様に、ステップＳ２からステップＳ２２の処理を経て、被害候補番組Ｓｖｐを探し出した後、ステップＳ２８に進む。
【００８０】
ステップＳ２８において、記録可能時間検出器２０４が記録可能時間Ｔｒｔを検出する。
【００８１】
ステップＳ３０では、記録可能時間Ｔｒｔに基づいて、記録可能時間検出器２０４は、記録装置５２の記録媒体の記録可能時間が、ステップＳ１８およびステップＳ２０で設定された延長時間Ｔｐに対して、十分であるか否かを判断する。Ｙｅｓの場合は、ステップＳ３６に進んで、延長時間Ｔｐだけ予約記録終了時間Ｓｒｅｔを延長する。一方、Ｎｏの場合は、ステップＳ３２に進む。
【００８２】
ステップＳ３２では、表示器５５は、記録可能時間検出器２０４から入力される記録予約容量信号Ｓａｒｔに基づいて、記録装置５２の記録媒体の記録可能時間Ｔｒｔと共に被害候補番組Ｓｖｐをユーザに呈示する。そして、処理はステップＳ３４に進む。
【００８３】
上述のように、ステップＳ２８で記録装置５２の記録可能時間Ｔｒｔを検出し、その記録可能時間ＴｒｔがステップＳ１８およびＳ２０で設定された延長時間Ｔｐより長い時は、ステップＳ３６でユーザの意志どおりに予約記録終了時間Ｓｒｅｔを延長時間Ｔｐだけ延長遅延させる。一方、記録可能時間Ｔｒｔが延長時間Ｔｐより短い時には、ステップＳ３２でその旨をユーザに呈示し、ステップＳ３４でユーザの判断を促す。このようにして、本実施例においては、記録装置５２の記録媒体の残容量（記録可能時間）に応じて、記録予約時間の延長の方法を選択できる。
【００８４】
（第４実施例）
図９および図１０を参照して本発明の第４実施例にかかる予約記録制御装置について説明する。図９に示すように、本実施例にかかる予約記録制御装置ＴＲＣ４は、図１に示した予約記録制御装置ＴＲＣ１の記録予約番組表生成器２００と記録予約番組メモリ２１０の間に基準延長時間更新器２０６を挿入した構成を有している。そして、この基準延長時間更新器２０６と記録予約番組表生成器２００とで第３記録予約管理器２００Ｃを構成している。
【００８５】
基準延長時間更新器２０６は、記録予約番組表生成器２００から入力される記録予約番組表情報Ｉｐｔｓに基づいて、ユーザが指示する延長時間Ｔｐの各時間ごとの統計をとる。そして、その統計結果で、一番ユーザの選択頻度の高い延長時間Ｔｐを基準延長時間Ｔｐｐとして記録予約番組表生成器２００に出力する。このように、ユーザの選択頻度に基づいて、基準延長時間Ｔｐｐを自動更新することによって、ユーザが予約記録制御装置ＴＲＣ４が提案する延長時間Ｔｐの代わりに延長時間Ｔｐを入力し直す煩わしさを軽減することができる。
【００８６】
図１０を参照して、予約記録制御装置ＴＲＣ４の動作について説明する。図１０のフローチャートは、図４に示すフローチャートのステップＳ３６の後に、ステップＳ４０およびステップＳ４２が追加されている。ゆえに、図４を参照して既に説明済みの動作説明は省いて、これら新たなステップに関連する動作についてのみ説明する。
【００８７】
第１実施例にかかる予約記録制御装置ＴＲＣ１におけるのと同様に、ステップＳ２からステップＳ３６の処理を経て、ステップＳ４０において、基準延長時間更新器２０６は延長時間Ｔｐの統計をとる。
【００８８】
ステップＳ４２で、基準延長時間更新器２０６は、ステップＳ４０でとった統計において、一番頻度の高い延長時間Ｔｐを基準延長時間Ｔｐｐとして記録予約番組表生成器２００に出力する。
【００８９】
このようにユーザの選択した延長時間Ｔｐの統計を取り、その統計データのうち、適応的な値を基準延長時間Ｔｐｐとして記憶すると共に、記録予約番組表生成器２００に出力する。次回の操作時のステップＳ１４では、更新された基準延長時間Ｔｐｐがユーザに提案される。統計は、ジャンル毎にとられ、またジャンルごとに初期値が設定されるものであっても良い。
【００９０】
なお、以上の実施例において、ユーザが設定する時間は予約記録終了時間Ｓｒｅｔを遅らせる延長時間Ｔｐを入力するばかりでなく、予約記録終了時間Ｓｒｅｔ自体を入力するようにしても良い。以上のように、本実施例においては、基準延長時間Ｔｐｐが過去の延長時間の統計結果を用いて設定されているので、ユーザの延長時間設定操作の煩わしさを軽減して、記録予約番組を途中でとぎらすこと無く記録することが実現できる。
【００９１】
以上のように本発明にかかる予約記録制御装置は、記録予約する場合に、蓄積されている番組情報を用いて、記録予約する番組の以前に延長する可能性の高い番組があるかどうかを検出する。その検出結果に基づいて、予約記録終了時間を放送終了時間より所定の時間遅らせて設定することができる。それゆえに、以前の番組が延長したことで記録が途中で切れるということを減らすことができる。また、ユーザに、記録予約する番組の以前に延長する可能性の高い番組があるかどうかを知らしめることができるので、ユーザに記録予約を延長するかどうかを判断する機会を与えることができる。
【００９２】
また、ユーザが、検出された番組の内容に応じて最適な記録終了時間の設定することができる。
【００９３】
また、ユーザが過去に設定した延長時間Ｔｐで一番頻度の高いものを基準延長時間Ｔｐｐに設定できるので、ユーザが最適な記録終了時間を設定する煩わしさを軽減することができる予約記録制御装置を実現できる。
【図面の簡単な説明】
【００９４】
【図１】本発明の第１実施例にかかる予約記録制御装置を組み込んだ予約記録装置を示すブロック図である。
【図２】本発明にかかる放送番組を表す番組情報の一例を示す図である。
【図３】図２に示した番組情報を構成する番組ジャンルコードのサブコードの一例を示す図である。
【図４】図１に示す予約記録制御装置の動作を示すフローチャートである。
【図５】本発明の第２実施例にかかる予約記録制御装置を組み込んだ予約記録装置を示すブロック図である。
【図６】図５に示す予約記録制御装置の動作を示すフローチャートである。
【図７】本発明の第３実施例にかかる予約記録制御装置を組み込んだ予約記録装置を示すブロック図である。
【図８】図７に示す予約記録制御装置の動作を示すフローチャートである。
【図９】本発明の第４実施例にかかる予約記録制御装置を組み込んだ予約記録装置を示すブロック図である。
【図１０】図９に示す予約記録制御装置の動作を示すフローチャートである。
【符号の説明】
【００９５】
ＴＲＡ１、ＴＲＡ２、ＴＲＡ３、ＴＲＡ４  予約記録装置
ＴＲＣ１、ＴＲＣ２、ＴＲＣ３、ＴＲＣ４  予約記録制御装置
５１  放送予定番組メモリ
５２  記録装置
５４  検出器
５５  表示器
５６  操作入力器
１００  放送予定番組表生成器
２００  記録予約番組表生成器
２００Ａ  第１記録予約管理器
２００Ｂ  第２記録予約管理器
２００Ｃ  第３記録予約管理器
２０２  記録予約番組管理器
２０４  記録可能時間検出器
２０６  基準延長時間更新器
２１０  記録予約番組メモリ
２２０  記録装置制御器
Ｉｔ  番組情報
Ｉｂｓ  放送局情報
Ｉｂｄ  放送日情報
Ｉｂｂ  放送開始時間情報
Ｉｂｅ  放送終了時間
Ｉｂｊ  ジャンル情報
Ｃａ  放送局コード
Ｃｂ  放送開始年コード
Ｃｃ  放送開始月コード
Ｃｄ  放送開始日コード
Ｃｅ  放送開始時コード
Ｃｆ  放送開始分コード
Ｃｇ  放送開始秒コード
Ｃｈ  放送終了時コード
Ｃｉ  放送終了時コード
Ｃｊ  放送終了時コード
Ｃｋ  番組ジャンルコード
Ｓｂｓ  記録予約放送局
Ｓｒｓｔ  予約記録開始時間
ＣｋＮ  ジャンルコード
Ｓｄｐｔ  妨害候補番組表
Ｓｃ  記録予約指示信号
Ｔｐ  延長時間
ＴＤｐ  予約−妨害番組表
Ｉｐｔ  番組表情報
Ｉｐｔｓ、ＩｐｔｓＲ  記録予約番組表情報
Ｓｖｐｔ  被害候補組表
Ｓｃｒ  記録装置制御信号
Ｓｐ  番組信号
Ｔｒｔ  記録可能時間
Ｓａｒｔ  記録予約容量信号
Ｔｐｐ  基準延長時間
【図１】
2006141050.tif 000003
【図２】
2006141050.tif 000004
【図３】
2006141050.tif 000005
【図４】
2006141050.tif 000006
【図５】
2006141050.tif 000007
【図６】
2006141050.tif 000008
【図７】
2006141050.tif 000009
【図８】
2006141050.tif 000010
【図９】
2006141050.tif 000011
【図１０】
2006141050.tif 000012
【手続補正書】
【提出日】平成18年1月6日(2006.1.6)
【手続補正１】
【補正対象書類名】特許請求の範囲
【補正対象項目名】全文
【補正方法】変更
【補正の内容】
【特許請求の範囲】
【請求項１】
放送予定の複数の番組それぞれの放送源、放送開始時間、放送終了時間、およびジャンルを示す情報を含む番組情報が多重化された放送信号を受信して、該番組情報に基づいて、記録装置に該複数の番組の内の一つ以上の特定の番組を予約記録させる予約記録制御装置であって、  前記記録装置に、予約記録する前記特定の番組を放送する放送源を選択して前記放送信号を受信させて該特定の番組を予約記録開始および予約記録終了させる時間を制御する予約記録制御手段と、  前記放送予定の複数の番組の少なくとも１つが、前記特定の番組の放送時間より早くに、放送時間が延長される可能性がある場合には、当該放送時間が延長される可能性のある番組を提示する表示手段と 前記特定の番組を予約記録終了させる時間を所望の時間だけ遅延させることができる予約記録制御補正制御手段と、 前記予約記録制御補正制御手段に、任意の時間を入力できる入力手段とを備え、ユーザが前記所定の時間を設定できることを特徴とする予約記録制御装置。
【請求項２】
前記放送時間が延長される可能性がある番組のジャンルはスポーツであることを特徴とする請求項１に記載の予約記録制御装置。
【請求項３】
前記放送時間が延長される可能性がある番組の放送源は、前記特定の番組と同一であること特徴とする請求項２に記載の予約記録制御装置。
【手続補正２】
【補正対象書類名】明細書
【補正対象項目名】全文
【補正方法】変更
【補正の内容】
【発明の詳細な説明】
【技術分野】
【０００１】  本発明は、放送される映像信号の予約記録を行う予約記録装置に関する。更に詳述すれば、本発明は放送される映像信号、音声信号、或いはデータ信号を予約記録する予約記録装置の記録動作を制御する予約記録制御装置に関する。
【背景技術】
【０００２】  近年、文字多重放送を利用し、放送が予定されている個々の番組の内容を表す情報（以下、「番組情報」と称す）から成る番組表情報を、垂直帰線期間に重畳して放送するサービスが予定されている。このサービスを利用すると、放送波に重畳されている番組表情報を受信側でデコードすることで、放送予定の番組の放送局、放送日、放送開始時間、放送終了時間、および放送番組のジャンル等の番組情報を知ることができる。従って、予め番組情報を蓄積しておき、その蓄積された番組情報に基づいて、ユーザは所望の番組の放送開始に応じて録画するように録画装置を設定（以下、「録画予約」と称す）することによって、所望の番組を自動的に録画（以下、「予約録画」と称す）できる。【特許文献１】特開平６−６７７２号公報
【発明の開示】
【発明が解決しようとする課題】
【０００３】  番組情報において、番組の放送時間を表す放送時間情報は、放送開始時間と放送終了時間で表される。放送時間情報を利用して録画予約設定をした場合に、録画予約された番組(以下、「録画予約番組」と称す)の放送開始時間以前に放送開始された番組が、その放送終了時間にも関わらず延長されて放送されることがある。この様な事態は、例えばスポーツ中継番組でよく生じる。【０００４】  このように、録画予約された番組より先に放送開始された番組（以下、「先放送番組」と称す）が、その終了時間を超えて、その放送時間が延長されて放送されることによって、延長された放送時間だけ録画予約番組の放送開始が遅延される。つまり、録画予約番組に対する先行番組の延長時間だけ、録画予約放送の放送時間帯がずれる。【０００５】  しかし、上記のような録画装置では、録画予約番組の予約録画開始時間および予約終了時間は、先行番組の延長に応じて更新されない。その結果、先行番組がスポーツ中継の延長のように延長された場合、録画予約番組が延長された時間分だけ録画されないという問題が生じる。【０００６】  本発明は、このように録画予約番組に先行して放送される番組が、その本来の放送終了時間を超えて延長放送される可能性の有る場合には、ユーザの判断により、録画予約番組の録画終了時間を所定の時間だけ延長して、録画予約できる予約記録制御装置を提供することを目的とする。
【課題を解決するための手段】
【０００７】  本発明は、放送予定の複数の番組それぞれの放送源、放送開始時間、放送終了時間、およびジャンルを示す情報を含む番組情報が多重化された放送信号を受信して、番組情報に基づいて、記録装置に複数の番組の内の一つ以上の特定の番組を予約記録させる予約記録制御装置であって、  記録装置に、予約記録する前記特定の番組を放送する放送源を選択して前記放送信号を受信させて該特定の番組を予約記録開始および予約記録終了させる時間を制御する予約記録制御器と、  放送予定の複数の番組の少なくとも１が、特定の番組の放送時間より早くに、放送時間が延長される可能性のある場合には、当該放送時間が延長される可能性のある番組を提示する表示器と 特定の番組を予約記録終了させる時間を所望の時間だけ遅延させることができる予約記録制御補正制御器と、 予約記録制御補正制御器に、任意の時間を入力できる入力器とを備え、ユーザが所定の時間を設定できることを特徴とする。
【発明の効果】
【０００８】 本発明にかかる予約記録制御装置においては、先に放送される番組のために放送開始時間が遅れる可能性のある番組を記録予約する場合にも、記録予約時間を所望の時間だけ延長することによって、最後まで所望の番組を予約記録できる。
【発明を実施するための最良の形態】
【０００９】  本発明の実施例について、図面を参照しながら詳細に説明する。  （第１実施例）  図１、図２、図３および図４を参照して、本発明の第１の実施例にかかる予約記録制御装置を組み込んだ予約記録装置について説明する。本発明において、予約記録装置とは、有線あるいは無線に限らず、情報源から放送或いは配信されてくる音声信号、映像信号、コンピュータデータ等のデータ信号から構成される番組放送を、実際に放送される前に指定しておくことによって、実際の放送時に自動的に番組の内容を記録媒体に記録する装置を意味している。なお、本明細書中においては、このような放送番組を構成する信号を番組信号Ｓｐと称する。【００１０】  図１に示すように、本例における予約記録装置ＴＲＡ１は、記録装置５２、予約記録制御装置ＴＲＣ１、表示器５５、および操作入力器５６を含む。操作入力器５６は、リモコンのようにユーザが操作して、ユーザが記録したい番組の記録予約指示を予約記録制御装置ＴＲＣ１に伝える記録予約指示信号Ｓｃを生成する。【００１１】  予約記録制御装置ＴＲＣ１は、外部の多重放送波デコーダ（図示せず）に接続されて番組情報Ｉｔの入力を受けると共に、操作入力器５６に接続されて指令信号Ｓｃの入力を受ける。予約記録制御装置ＴＲＣ１は番組情報Ｉｔに基づいて今後放送が予定されている番組の内で、記録予約する番組（以下、「記録予約番組Ｓｒｐ」と称す）の内容を示す番組表情報Ｉｐｔを生成する。さらに、予約記録制御装置ＴＲＣ１は、番組表情報Ｉｐｔおよび記録予約指示信号Ｓｃに基づいて、記録予約番組Ｓｒｐを特定する記録予約番組表情報Ｉｐｔｓを生成する。【００１２】  この記録予約番組表情報Ｉｐｔｓと前記番組情報Ｉｔに基づいて、予約記録制御装置ＴＲＣ１はさらに、記録予約する番組の予定放送時間に影響を与える可能性のある妨害候補番組Ｓｄｐを検出して妨害候補番組表Ｓｄｐｔを生成する。予約記録制御装置ＴＲＣ１は、さらに、この妨害候補番組表Ｓｄｐｔと記録予約番組表情報Ｉｐｔｓに基づいて、記録予約番組Ｓｒｐとその予約記録を妨害する可能性のある妨害候補番組Ｓｄｐを同時に表示する予約−妨害番組表ＴＤｐを生成する。【００１３】  記録予約番組表情報Ｉｐｔｓに基づいて、予約記録制御装置ＴＲＣ１は、記録装置５２で記録する番組、記録の開始、および記録の終了を制御する記録装置制御信号Ｓｃｒを生成する。【００１４】  記録装置５２は、外部の多重放送波デコーダに接続されて放送波に含まれる番組信号Ｓｐの入力を受けると共に、予約記録制御装置ＴＲＣ１に接続されて記録装置制御信号Ｓｃｒの入力を受ける。記録装置５２は、記録装置制御信号Ｓｃｒに基づいて、記録予約された番組を記録媒体に予約記録する。【００１５】  表示器５５は、予約記録制御装置ＴＲＣ１に接続されて、番組表情報Ｉｐｔおよび予約−妨害番組表ＴＤｐの入力を受けて、それぞれの情報が示す内容を表示する。  表示器５５は、これらの番組情報を表示すると共に、メモリ（図示せず）に蓄積されている文字や図形を読み出して、文字列やグラフィクスを表示してもよい。表示器５５は、さらに記録装置５２に接続されて、番組信号Ｓｐの入力をうけて、放送中の番組、記録中の番組、或いは記録���生中の番組を表示する。番組信号Ｓｐが、前述のコンピュータデータの場合には、記録装置５２をコンピュータ装置に代えても良い。【００１６】  予約記録制御装置ＴＲＣ１は、放送予定番組メモリ５１、検出器５４、放送予定番組表生成器１００、記録予約番組表生成器２００、記録予約番組メモリ２１０、および記録装置制御器２２０を含む。放送予定番組メモリ５１は、外部の多重放送波デコーダに接続されて、入力される番組情報Ｉｔに含まれる情報のうち、少なくとも放送番組の放送局Ｉｂｓ、放送日Ｉｂｄ、放送開始時間Ｉｂｂ、放送終了時間Ｉｂｅ、およびジャンルＩｂｊを表す情報を蓄積する。【００１７】  図２および図３を参照して、文字多重放送でテレビ番組が放送される場合の番組表を表す番組情報Ｉｔについて説明する。なお、本例においては、テレビジョン番組に例を引いて説明しているが、本発明はテレビジョン番組の予約記録に限定されないことは言うまでもない。図２に、一例を示すように、番組情報Ｉｔは各種情報を表す個々のコードから成る。つまり、放送局情報Ｉｂｓは、放送局を特定する放送局コードＣａから成る。放送日情報Ｉｂｄは、放送開始年を特定する放送開始年コードＣｂと放送開始月を特定する放送開始月コードＣｃと放送開始日を特定する放送開始日コードＣｄとから成る。放送開始時間情報Ｉｂｂは、放送開始時間を特定する放送開始時コードＣｅと放送開始分を特定する放送開始分コードＣｆと放送開始秒を特定する放送開始秒コードＣｇとから成る。放送終了時間情報Ｉｂｅは、放送終了時間を特定する放送終了時コードＣｈと、放送終了分を特定する放送終了分コードＣｉと放送終了秒を特定する放送終了秒コードＣｊから成る。そしてジャンル情報Ｉｂｊは、放送番組のジャンルを特定する番組ジャンルコードＣｋである。これらのコードからなる番組情報Ｉｔのパケットが放送波の垂直帰線期間に重畳されて放送される。【００１８】  さらに、ジャンル情報Ｉｂｊを表す番組ジャンルコードＣｋは、図３に示すように、ジャンルの内容別を表すサブコードＣｋから成る。これらのサブコードＣｋには、例えば、映画を表すサブコードＣｋ１、ドラマを表すサブコードＣｋ２、スポーツを表すサブコードＣｋ３、音楽を表すサブコードＣｋ４、芸能を表すサブコードＣｋ５、アニメを表すサブコードＣｋ６、ニュースを表すサブコードＣｋ７、教育を表すサブコードＣｋ８、趣味を表すサブコードＣｋ９、そしてその他を表すサブコードＣｋ１０を含む。【００１９】  このように、本発明においては、番組を識別するための情報である番組情報Ｉｔを予め放送予定番組メモリ５１に蓄積する。また、上記のように、テレビ番組放送に例を引いて、番組情報Ｉｔについて説明したが、今後予定されているコンピュータデータに代表されるデータ放送についても、番組情報Ｉｔは同様に構成される。【００２０】  図１に戻って、放送予定番組表生成器１００は、放送予定番組メモリ５１に接続されて、放送予定番組メモリ５１に蓄積されている前記番組情報Ｉｔに基づいて、現時刻の前後の所定時間範囲に渡って放送が予定されている番組の内容を示す番組表情報Ｉｐｔを生成する。【００２１】  表示器５５は、放送予定番組表生成器１００に接続されて、���組表情報Ｉｐｔに基づいて、放送予定番組の内容を表示する。ユーザは、この表示器５５に表示される放送予定の番組表を見ながら、記録予約する番組を選択するべく操作入力器５６を操作して、記録予約指示信号Ｓｃを生成する。【００２２】  記録予約番組表生成器２００は、放送予定番組表生成器１００に接続されて番組表情報Ｉｐｔの入力を受けると共に、操作入力器５６に接続されて記録予約指示信号Ｓｃの入力を受ける。記録予約番組表生成器２００は、記録予約指示信号Ｓｃに基づいて、ユーザが記録予約を指示する番組を特定する記録予約番組表情報Ｉｐｔｓを生成する。記録予約番組表情報Ｉｐｔｓは、記録予約する放送番組の放送局Ｉｂｓ、放送日Ｉｂｄ、放送開始時間Ｉｂｂ、放送終了時間Ｉｂｅ、およびジャンルＩｂｊのそれぞれを表す記録予約放送局Ｓｂｓ、予約記録開始時間Ｓｒｓｔ、予約記録終了時間Ｓｒｅｔ、および番組ジャンルコードＣｋの各種記録予約番組パラメータからなる。【００２３】  検出器５４は、放送予定番組メモリ５１に接続されて番組情報Ｉｔの入力を受けると共に、記録予約番組表生成器２００に接続されて記録予約放送局Ｓｂｓおよび予約記録開始時間Ｓｒｓｔの入力を受ける。検出器５４は、番組情報Ｉｔを記録予約放送局Ｓｂｓおよび予約記録開始時間Ｓｒｓｔと所定の番組の内容を表すジャンルコードＣｋＮ（Ｎは正の整数）で検索して、記録予約した番組の放送開始時間に影響を与える可能性のある番組、つまり予約記録妨害候補番組Ｓｄｐを探し出す。なお、簡便化のために、以降、番組予約記録妨害候補番組Ｓｄｐを妨害候補番組Ｓｄｐと略称する。【００２４】  そして、検出器５４は探し出した妨害候補番組Ｓｄｐの内容を表す妨害候補番組表Ｓｄｐｔを作成する。つまり、検出器５４は、放送予定番組メモリ５１に記録されている番組情報Ｉｔを検索して、その放送局情報Ｉｂｓが記録予約放送局Ｓｂｓと同一で、放送開始時間情報Ｉｂｂが予約記録開始時間Ｓｒｓｔより早く、且つ番組ジャンルコードＣｋが所定の番組ジャンルコードＣｋＮと一致する番組Ｓｄｐを全て見つけだして妨害候補番組表Ｓｄｐｔを生成する。【００２５】  所定の番組ジャンルコードＣｋＮは、スポーツ中継などのように、ゲームが終了するまで放送終了時間が延長されることが多いジャンルが選ばれる。この意味において番組ジャンルコードＣｋＮは、予約記録妨害ジャンルコードＣｋＮと定義できる。この意味において、予約記録妨害ジャンルＣｋＮはスポーツ中継以外の任意のジャンルを予め設定しておいても良いし、ユーザが操作入力器５６を操作して記録予約するさいに任意のジャンルを予約記録妨害ジャンルＣｋＮとして入力するように構成しても良い。【００２６】  記録予約番組表生成器２００は、さらに検出器５４に接続されて、妨害候補番組表Ｓｄｐｔの入力を受けて、既に生成した記録予約番組表情報Ｉｐｔｓと妨害候補番組表Ｓｄｐｔを対比して表示する予約−妨害番組表ＴＤｐを生成する。表示器５５は、記録予約番組表生成器２００に接続されて、予約−妨害番組表ＴＤｐの内容を表示してユーザに提示する。【００２７】  ユーザは、表示器５５に表示された予約−妨害番組表ＴＤｐを見て、記録予約する番組の予約記録終了時間Ｓｒｅｔ���延長するか否かを判断する。そして、ユーザは、その判断結果と共に延長する場合には延長時間Ｔｐを操作入力器５６を用いて記録予約指示信号Ｓｃとして記録予約番組表生成器２００（予約記録制御装置ＴＲＣ１）に入力する。【００２８】  記録予約番組表生成器２００は、記録予約指示信号Ｓｃに基づいて、予約記録終了時間Ｓｒｅｔを延長時間Ｔｐ分だけ延長した時間に書き換えて、記録予約番組表情報Ｉｐｔｓを再生成すると共に表示器５５および記録予約番組メモリ２１０に出力する。【００２９】  記録予約番組メモリ２１０は、記録予約番組表生成器２００に接続されて、再生成されてた記録予約番組表情報Ｉｐｔｓの入力を受けて保存する。【００３０】  表示器５５は、記録予約番組表情報Ｉｐｔｓの内容を前述の予約−妨害番組表ＴＤｐの一部としてユーザに提示する。ユーザは提示された記録予約番組表情報Ｉｐｔｓの内容が満足であれば、その旨を操作入力器５６を操作して記録予約指示信号Ｓｃとして記録予約番組表生成器２００に入力する。一方、記録予約番組表情報Ｉｐｔｓの内容が不満足であれば、ユーザは表示器５５に表示される予約−妨害番組表ＴＤｐを確認しながら、所望な延長時間Ｔｐを決定して入力する。つまりユーザは、予約−妨害番組表ＴＤｐに表示される全妨害候補番組Ｓｄｐを考慮して、全記録予約番組Ｓｒｐについて、その予約記録終了時間Ｓｒｅｔの延長時間Ｔｐを記録予約番組表生成器２００に入力して、記録予約番組表情報Ｉｐｔｓを生成する。【００３１】  記録装置制御器２２０は記録予約番組メモリ２１０に接続されて、記録予約番組表情報Ｉｐｔｓの入力を受ける。そして、記録装置制御器２２０は入力される記録予約番組表情報Ｉｐｔｓに基づいて、記録予約番組表情報Ｉｐｔｓに規定されている記録予約放送局Ｓｂｓ、予約記録開始時間Ｓｒｓｔ、および予約記録終了時間Ｓｒｅｔに基づいて、記録装置５２の動作を制御する記録装置制御信号Ｓｃｒを生成する。なお、記録装置５２は例えばビデオテープレコーダ等の記録再生装置であり、放送番組を記録するものである。【００３２】  上述のように、ユーザが記録予約する番組を操作入力器５６を用いて入力すると、それに応じて予約記録制御装置ＴＲＣ１は記録予約された番組の終了時間（放送時間）に影響を与える可能性の高い番組を列挙して、ユーザが記録装置５２の記録終了時間を所望の時間だけ遅らせて設定することを特徴とする。【００３３】  図４に示すフローチャートを参照して、上述の予約記録制御装置ＴＲＣ１の動作について説明する。【００３４】  先ず、ステップＳ２において、放送予定番組表生成器１００は放送予定番組メモリ５１に記憶されている番組情報Ｉｔに基づいて、放送予定されている番組の内容を表す番組表情報Ｉｐｔを作成する。この番組表情報Ｉｐｔに基づいて、表示器５５は放送予定されている番組表Ｐｔを画像として表示する。【００３５】  ステップＳ４において、ステップＳ２でユーザは表示器５５に表示された番組表Ｐｔを参考にして、記録予約したい番組を決定する。そして、ユーザは操作入力器５６を操作して、決定した記録予約の内容を表す記録予約指示信号Ｓｃを生成して、予約記録制御装置ＴＲＣ１に出力する。予約記録制御装置ＴＲＣ１の記録予約番組表生成器２００は、入力された記録予約指示信号Ｓｃに基づいて、予約記録の設定を行い記録予約番組表情報Ｉｐｔｓを生成する。つまり、記録予約番組表生成器２００は記録予約指示信号Ｓｃにもとづいて、放送予定番組表生成器１００から入力される番組表情報Ｉｐｔから、記録予約する番組の放送局情報Ｉｂｓ（放送局コードＣａ）、放送日情報Ｉｂｄ（放送開始年コードＣｂ、放送開始月コードＣｃ、放送開始日コードＣｄ）、放送開始時間情報Ｉｂｂ（放送開始時コードＣｅ、放送開始分コードＣｆ、放送開始秒コードＣｇ）、放送終了時間情報Ｉｂｅ（放送終了時コードＣｈ、放送終了分コードＣｉ、放送終了秒コードＣｊ）を抽出する。【００３６】  ステップＳ６において、記録予約番組表生成器２００は検出器５４を用いて、予約記録番組と同じ放送局、つまり同じチャンネルで放送され、この予約記録番組の放送時間以前に放送される予定の特定のジャンルの番組の有無を検出する。つまり、記録予約された番組の記録予約放送局Ｓｂｓと同じ放送局情報Ｉｂｓと、予約記録開始時間Ｓｒｓｔより以前の放送開始時間情報Ｉｂｂと、所定の番組の内容を表すジャンルコードＣｋＮとを有する番組を妨害候補番組Ｓｄｐとして検出するために、検出器５４は放送予定番組メモリ５１に記憶されている番組情報Ｉｔを検索する。特定のジャンルの番組を表すコードＣｋＮとしては、例えばスポーツを示すサブコードＣｋ３が設定される。【００３７】  ステップＳ８において、ステップＳ６の検索の結果、妨害候補番組Ｓｄｐが検出されなかった場合、つまり、該当する放送局情報Ｉｂｓ、放送開始時間情報Ｉｂｂ、および番組ジャンルコードＣｋＮを有する番組を検出しなかった場合には、Ｎｏと判断される。そして、処理はステップＳ３８に進む。【００３８】  ステップＳ３８において、放送終了時間情報Ｉｂｅを予約記録終了時間Ｓｒｅｔに設定して処理を終了する。【００３９】  一方、ステップＳ８において、妨害候補番組Ｓｄｐが検出された場合、つまりスポーツ（Ｃｋ３）のように放送終了時間情報Ｉｂｅに規定される終了時間に終了せずに、記録予約した番組の予約記録開始時間Ｓｒｓｔを超えて放送が延長される可能性のある番組がある場合には、ＹＥＳと判断されてステップＳ１０に進む。【００４０】  ステップＳ１０において、検出器５４は、探し出された全妨害候補番組Ｓｄｐの内容を表す妨害候補番組表Ｓｄｐｔを生成する。そして、記録予約番組表生成器２００は、妨害候補番組表Ｓｄｐｔと番組表情報Ｉｐｔに基づいて予約−妨害番組表ＴＤｐを生成する。更に、表示器５５はこの予約−妨害番組表ＴＤｐを表示する。【００４１】  ステップＳ１２において、ユーザは表示器５５に表示される、予約−妨害番組表ＴＤｐをみて、予約記録番組の予約記録終了時間Ｓｒｅｔを繰り下げるか否かを判断する。予約記録終了時間Ｓｒｅｔを繰り下げない場合には、前述のステップＳ３８に進んだ後に処理を終了する。一方、予約記録終了時間Ｓｒｅｔを繰り下げる場合には、ステップＳ１４に進む。【００４２】  ステップＳ１４において、記録予約番組表生成器２００は、検出された妨害候補番組Ｓｄｐ毎に対応して、予め定められた基準延長時間Ｔｐｐを予約−妨���番組表ＴＤｐ中に表示する。そして、処理は次のステップＳ１６に進む。【００４３】  ステップＳ１６において、ユーザは、記録予約番組Ｓｒｐの予約記録終了時間Ｓｒｅｔを延長する延長時間Ｔｐとして、基準延長時間Ｔｐｐが適切であるか否かを判断する。基準延長時間Ｔｐｐが適切であると判断した場合は、ステップＳ２０に進む。【００４４】  ステップＳ２０において、延長時間初期値を延長時間Ｔｐに設定する。そして、処理はステップＳ３６に進む。【００４５】  一方、ステップＳ１６で基準延長時間Ｔｐｐが適切で無いと判断した場合は、ステップＳ１８に進む。【００４６】  ステップＳ１８において、ユーザは操作入力器５６を用いて、延長時間Ｔｐを入力する。そして、処理はステップＳ３６に進む。【００４７】  ステップＳ３６において、予約記録終了時間Ｓｒｅｔを延長時間Ｔｐだけ延長した時間に書き換えて、記録予約番組表情報Ｉｐｔｓを再生成すると共に記録予約番組メモリ２１０に記録する。【００４８】  また、ステップＳ８およびステップＳ１２で、Ｎｏと判断された場合には、ステップＳ３８において、記録予約番組Ｓｒｐの放送終了時間Ｉｂｅを予約記録終了時間Ｓｒｅｔに設定して、記録予約番組表情報Ｉｐｔｓを再生成すると共に記録予約番組メモリ２１０に記録する。【００４９】  このようにして、本発明の予約記録制御装置ＴＲＣ１によれば、記録予約する番組と同放送局（チャンネル）の番組で、その記録予約する番組以前に放送予定で特定のジャンルの番組である番組予約記録妨害番組が有る場合、その旨を予約記録妨害番組表としてユーザに提示すると共に、記録予約する番組の記録終了時刻の設定遅延の要否をユーザに問い合わせる。そして、ユーザは、提示された予約記録妨害番組表を考慮して、記録終了時刻の変更を判断して、ユーザの使い勝手が良いように予約記録を実行することができる。【００５０】  （第２実施例）  図５および図６を参照して、本発明の第２実施例にかかる予約記録制御装置について説明する。図５に示すように、本実施例にかかる予約記録制御装置ＴＲＣ２は、図１に示した予約記録制御装置ＴＲＣ１の記録予約番組表生成器２００と記録予約番組メモリ２１０の間に、記録予約番組管理器２０２が追加された構成を有している。なお、この追加された記録予約番組管理器２０２と記録予約番組表生成器２００とで第１記録予約管理器２００Ａを構成している。【００５１】  記録予約番組管理器２０２は、ユーザが記録予約する番組の予約記録終了時間Ｓｒｅｔを所望の延長時間Ｔｐだけ延長する場合に、図４を参照して述べたステップＳ１８あるいはステップＳ２０で更新された予約記録終了時間Ｓｒｅｔで記録予約番組表情報Ｉｐｔｓを検索して、この記録延長により予約記録時間に影響を受ける可能性のある後続の記録予約番組Ｓｒｐを記録予約被害候補番組Ｓｖｐとして探し出す。この場合、記録予約放送局Ｓｂｓは検索条件ではない。【００５２】  なお、簡便化のために、以降、記録予約被害候補番組Ｓｖｐを被害候補番組Ｓｖｐと略称する。また、予約記録終了時間Ｓｒｅｔが延長されれば、後続の被害候補番組Ｓｖｐに対して妨害候補番組Ｓｄｐとして働く可能性がある記録予約番組Ｓｒｐを加害候補番組Ａｐｃと称する。【００５３】  記録予約番組管理器２０２はさらに、検出された全被害候補番組Ｓｖｐを表す被害候補番組表Ｓｖｐｔを生成して表示器５５に出力する。【００５４】  ユーザは、表示器５５に表示された被害候補組表Ｓｖｐｔを見て、記録予約する番組の予約記録終了時間Ｓｒｅｔを延長するか否かを判断する。そして、ユーザは、その判断結果と共に延長する場合には、操作入力器５６を用いて延長時間Ｔｐを記録予約指示信号Ｓｃとして記録予約番組表生成器２００（予約記録制御装置ＴＲＣ２）に入力する。【００５５】  番組を一つだけ記録予約する場合には、上述の第１実施例におけるように、先行する妨害候補番組Ｓｄｐによる影響を避けるために、記録予約番組Ｓｒｐの予約記録終了時間Ｓｒｅｔを所定の延長時間Ｔｐだけ延長することが有効である。しかし、複数の番組を記録予約する場合には、記録予約番組Ｓｒｐの一つの予約記録終了時間Ｓｒｅｔを延長すると、後続の記録予約番組Ｓｒｐの放送開始時間情報Ｉｂｂにまで食い込んでしまうことがある。特に、この二つの記録予約番組Ｓｒｐの放送元が違っている場合には、後続の記録予約番組Ｓｒｐの放送開始時間Ｉｂｂになっても、先行する記録予約番組Ｓｒｐが引き続き記録されることがある。この場合、先行する記録予約番組Ｓｒｐが後続の記録予約番組に対して妨害候補番組Ｓｄｐとして振る舞う。【００５６】  そのため、本実施例においては、第１記録予約管理器２００Ａによって、一つの記録予約番組ＳｒｐＯ（Ｏは正の整数）が後続の記録予約番組ＳｒｐＰ（ＰはＯより大きな整数）に対して妨害候補番組Ｓｄｐとなり得る場合を検出してユーザに適切な対応を問いかけるものである。ユーザは、この第１記録予約管理器２００Ａからの問いかけに対して、自身の意志を伝える記録予約指示信号Ｓｃを第１記録予約管理器２００Ａに入力する。記録予約番組管理器２０２は、このユーザの意志（Ｓｃ）に基づいて、記録予約番組表情報ＩｐｔｓＲを生成する。記録予約番組メモリ２１０は、この記録予約番組表情報ＩｐｔｓＲを記録し、記録装置制御器２２０は記録予約番組表情報ＩｐｔｓＲに基づいて記録装置制御信号Ｓｃｒを生成する。【００５７】  図６に示すフローチャートを参照して、上述の予約記録制御装置ＴＲＣ２の動作について説明する。図６のフローチャートは、図４に示すフローチャートのステップＳ１８とステップＳ３６の間に、ステップＳ２２、ステップＳ２４、ステップＳ２６、およびステップＳ３４が挿入されている。ゆえに、図４を参照して既に説明済みの動作についての説明は省いて、これら新たに挿入されたステップに関連する動作についてのみ説明する。【００５８】  つまり、ステップＳ２からステップＳ１６の処理を経て、ステップＳ１８あるいはステップＳ２０で延長時間Ｔｐが適正に設定された後、ステップＳ２２に進む。【００５９】  ステップＳ２２において、記録予約番組管理器２０２は、更新された予約記録終了時間Ｓｒｅｔで記録予約番組表情報Ｉｐｔｓを検索して、ステップＳ１２において指示された予約記録終了時間Ｓｒｅｔの延長により影響を受ける可能性のある被害候補番組Ｓｖｐを探し出す。そして、処理は次のステップＳ２４に進む。【００６０】  ステップ��２４において、被害候補番組Ｓｖｐが検出されたか否かが判断される。被害候補番組Ｓｖｐが検出されなかった場合には、Ｎｏと判断されて、ステップＳ３６に進む。一方、被害候補番組Ｓｖｐが検出された場合には、Ｙｅｓと判断されて、ステップＳ２６に進む。【００６１】  ステップＳ２６において、記録予約番組管理器２０２は、被害候補番組Ｓｖｐの全てを表す被害候補番組表Ｓｖｐｔを生成して、表示器５５に出力して表示させる。そして、処理はステップＳ３４に進む。【００６２】  ステップＳ３４において、ユーザは被害候補番組表Ｓｖｐｔに表示される個々の被害候補番組Ｓｖｐに対する、ステップＳ１２に於ける予約記録終了時間Ｓｒｅｔ延長を実行した場合の影響を検討する。そして、ユーザはその延長処理を実行するか否かを判断する。ステップＳ１２に於ける延長を実行する場合には、ステップＳ３６に進む。一方、延長を実行しない場合は、ステップＳ３８に進む。【００６３】  上述のように、ステップＳ２２およびＳ２４において、被害候補番組Ｓｖｐ（ＳｒｐＯ）の予約記録終了時間Ｓｒｅｔを延長時間Ｔｐだけ遅延させた時間で（Ｓｒｅｔ）で、後続の記録予約番組Ｓｒｐの予約記録開始時間Ｓｒｓｔを検索することによって、この延長時間Ｔｐだけ遅延させた番組の後続の記録予約番組Ｓｒｐで被害候補番組Ｓｖｐになるものの有無を検出する。ユーザは、ステップＳ２６で呈示された検索結果をみて、ステップＳ３４で被害候補番組Ｓｖｐの予約記録終了時間Ｓｒｅｔ延長の是非を判断する。そして、ユーザの判断結果によって、上述のステップＳ３６或いはステップＳ３８で予約記録終了時間Ｓｒｅｔが然るべく設定される。このように、本実施例においては、被害候補番組Ｓｖｐが見つかっても、その予約記録終了時間Ｓｒｅｔを単純に延長することによって、その被害候補番組ＳｖｐＯ自体が後続の記録予約番組Ｓｒｐに対して妨害候補番組Ｓｄｐになってしまう事態を避けることができる。【００６４】  （第３実施例）  図７および図８を参照して本発明の第３実施例にかかる予約記録制御装置について説明する。図７に示すように、本実施例にかかる予約記録制御装置ＴＲＣ３は、図５に示した予約記録制御装置ＴＲＣ２の記録予約番組管理器２０２を記録可能時間検出器２０４と交換した構成を有している。そして、この記録可能時間検出器２０４と記録予約番組表生成器２００とで第２記録予約管理器２００Ｂを構成している。【００６５】  記録可能時間検出器２０４は、記録装置５２に接続されて、記録装置５２の記録媒体に残された記録可能時間Ｔｒｔを検出して、記録予約容量信号Ｓａｒｔを生成する。記録可能時間検出器２０４は、記録予約容量信号Ｓａｒｔを表示器５５に出力して、記録装置５２の記録可能時間Ｔｒｔを呈示する。【００６６】  ユーザは、表示器５５に表示された記録可能時間を見て、記録予約するか否か、記録予約された番組の予約記録終了時間Ｓｒｅｔを延長するか否かを判断する。そして、ユーザは、操作入力器５６を用いて判断結果を記録予約指示信号Ｓｃとして記録予約番組表生成器２００に入力する。【００６７】  図８に示すフローチャートを参照して、上述の予約記録制御装置ＴＲＣ３の動作について説明する。図８のフロ���チャートは、図６に示すフローチャートのステップＳ２２の後に、ステップＳ２８が追加され、ステップＳ２４とＳ２６がステップＳ３０とＳ３２に交換されている。ゆえに、図６を参照して既に説明済みの動作を省いて、これら新たなステップに関連する動作についてのみ説明する。  第２実施例にかかる予約記録制御装置ＴＲＣ２におけるのと同様に、ステップＳ２からステップＳ２２の処理を経て、被害候補番組Ｓｖｐを探し出した後、ステップＳ２８に進む。【００６８】  ステップＳ２８において、記録可能時間検出器２０４が記録可能時間Ｔｒｔを検出する。【００６９】  ステップＳ３０では、記録可能時間Ｔｒｔに基づいて、記録可能時間検出器２０４は、記録装置５２の記録媒体の記録可能時間が、ステップＳ１８およびステップＳ２０で設定された延長時間Ｔｐに対して、十分であるか否かを判断する。Ｙｅｓの場合は、ステップＳ３６に進んで、延長時間Ｔｐだけ予約記録終了時間Ｓｒｅｔを延長する。一方、Ｎｏの場合は、ステップＳ３２に進む。【００７０】  ステップＳ３２では、表示器５５は、記録可能時間検出器２０４から入力される記録予約容量信号Ｓａｒｔに基づいて、記録装置５２の記録媒体の記録可能時間Ｔｒｔと共に被害候補番組Ｓｖｐをユーザに呈示する。そして、処理はステップＳ３４に進む。【００７１】  上述のように、ステップＳ２８で記録装置５２の記録可能時間Ｔｒｔを検出し、その記録可能時間ＴｒｔがステップＳ１８およびＳ２０で設定された延長時間Ｔｐより長い時は、ステップＳ３６でユーザの意志どおりに予約記録終了時間Ｓｒｅｔを延長時間Ｔｐだけ延長遅延させる。一方、記録可能時間Ｔｒｔが延長時間Ｔｐより短い時には、ステップＳ３２でその旨をユーザに呈示し、ステップＳ３４でユーザの判断を促す。このようにして、本実施例においては、記録装置５２の記録媒体の残容量（記録可能時間）に応じて、記録予約時間の延長の方法を選択できる。【００７２】  （第４実施例）  図９および図１０を参照して本発明の第４実施例にかかる予約記録制御装置について説明する。図９に示すように、本実施例にかかる予約記録制御装置ＴＲＣ４は、図１に示した予約記録制御装置ＴＲＣ１の記録予約番組表生成器２００と記録予約番組メモリ２１０の間に基準延長時間更新器２０６を挿入した構成を有している。そして、この基準延長時間更新器２０６と記録予約番組表生成器２００とで第３記録予約管理器２００Ｃを構成している。【００７３】  基準延長時間更新器２０６は、記録予約番組表生成器２００から入力される記録予約番組表情報Ｉｐｔｓに基づいて、ユーザが指示する延長時間Ｔｐの各時間ごとの統計をとる。そして、その統計結果で、一番ユーザの選択頻度の高い延長時間Ｔｐを基準延長時間Ｔｐｐとして記録予約番組表生成器２００に出力する。このように、ユーザの選択頻度に基づいて、基準延長時間Ｔｐｐを自動更新することによって、ユーザが予約記録制御装置ＴＲＣ４が提案する延長時間Ｔｐの代わりに延長時間Ｔｐを入力し直す煩わしさを軽減することができる。【００７４】  図１０を参照して、予約記録制御装置ＴＲＣ４の動作について説明する。図１０のフローチャートは、図４に示すフローチャートのステップＳ３���の後に、ステップＳ４０およびステップＳ４２が追加されている。ゆえに、図４を参照して既に説明済みの動作説明は省いて、これら新たなステップに関連する動作についてのみ説明する。【００７５】  第１実施例にかかる予約記録制御装置ＴＲＣ１におけるのと同様に、ステップＳ２からステップＳ３６の処理を経て、ステップＳ４０において、基準延長時間更新器２０６は延長時間Ｔｐの統計をとる。【００７６】  ステップＳ４２で、基準延長時間更新器２０６は、ステップＳ４０でとった統計において、一番頻度の高い延長時間Ｔｐを基準延長時間Ｔｐｐとして記録予約番組表生成器２００に出力する。【００７７】  このようにユーザの選択した延長時間Ｔｐの統計を取り、その統計データのうち、適応的な値を基準延長時間Ｔｐｐとして記憶すると共に、記録予約番組表生成器２００に出力する。次回の操作時のステップＳ１４では、更新された基準延長時間Ｔｐｐがユーザに提案される。統計は、ジャンル毎にとられ、またジャンルごとに初期値が設定されるものであっても良い。【００７８】  なお、以上の実施例において、ユーザが設定する時間は予約記録終了時間Ｓｒｅｔを遅らせる延長時間Ｔｐを入力するばかりでなく、予約記録終了時間Ｓｒｅｔ自体を入力するようにしても良い。以上のように、本実施例においては、基準延長時間Ｔｐｐが過去の延長時間の統計結果を用いて設定されているので、ユーザの延長時間設定操作の煩わしさを軽減して、記録予約番組を途中でとぎらすこと無く記録することが実現できる。【００７９】  以上のように本発明にかかる予約記録制御装置は、記録予約する場合に、蓄積されている番組情報を用いて、記録予約する番組の以前に延長する可能性の高い番組があるかどうかを検出する。その検出結果に基づいて、予約記録終了時間を放送終了時間より所定の時間遅らせて設定することができる。それゆえに、以前の番組が延長したことで記録が途中で切れるということを減らすことができる。また、ユーザに、記録予約する番組の以前に延長する可能性の高い番組があるかどうかを知らしめることができるので、ユーザに記録予約を延長するかどうかを判断する機会を与えることができる。【００８０】  また、ユーザが、検出された番組の内容に応じて最適な記録終了時間の設定することができる。【００８１】  また、ユーザが過去に設定した延長時間Ｔｐで一番頻度の高いものを基準延長時間Ｔｐｐに設定できるので、ユーザが最適な記録終了時間を設定する煩わしさを軽減することができる予約記録制御装置を実現できる。
【産業上の利用可能性】
【００８２】 本発明は、有線或いは無線で配信される複数のコンテンツを受信して記録する予約録画装置などに利用できる。
【図面の簡単な説明】
【００８３】
【図１】本発明の第１実施例にかかる予約記録制御装置を組み込んだ予約記録装置を示すブロック図である。
【図２】本発明にかかる放送番組を表す番組情報の一例を示す図である。
【図３】図２に示した番組情報を構成する番組ジャンルコードのサブコードの一例を示す図である。
【図４】図１に示す予約記録制御装置の動作を示すフローチャートである。
【図５】本発明の第２実施例にかかる予約記録制御装置を組み込んだ予約記録装置を示すブロック図である。
【図６】図５に示す予約記録制御装置の動作を示すフローチャートである。
【図７】本発明の第３実施例にかかる予約記録制御装置を組み込んだ予約記録装置を示すブロック図である。
【図８】図７に示す予約記録制御装置の動作を示すフローチャートである。
【図９】本発明の第４実施例にかかる予約記録制御装置を組み込んだ予約記録装置を示すブロック図である。
【図１０】図９に示す予約記録制御装置の動作を示すフローチャートである。
【符号の説明】
【００８４】ＴＲＡ１、ＴＲＡ２、ＴＲＡ３、ＴＲＡ４  予約記録装置ＴＲＣ１、ＴＲＣ２、ＴＲＣ３、ＴＲＣ４  予約記録制御装置５１  放送予定番組メモリ５２  記録装置５４  検出器５５  表示器５６  操作入力器１００  放送予定番組表生成器２００  記録予約番組表生成器２００Ａ  第１記録予約管理器２００Ｂ  第２記録予約管理器２００Ｃ  第３記録予約管理器２０２  記録予約番組管理器２０４  記録可能時間検出器２０６  基準延長時間更新器２１０  記録予約番組メモリ２２０  記録装置制御器Ｉｔ  番組情報Ｉｂｓ  放送局情報Ｉｂｄ  放送日情報Ｉｂｂ  放送開始時間情報Ｉｂｅ  放送終了時間Ｉｂｊ  ジャンル情報Ｃａ  放送局コードＣｂ  放送開始年コードＣｃ  放送開始月コードＣｄ  放送開始日コードＣｅ  放送開始時コードＣｆ  放送開始分コードＣｇ  放送開始秒コードＣｈ  放送終了時コードＣｉ  放送終了時コードＣｊ  放送終了時コードＣｋ  番組ジャンルコードＳｂｓ  記録予約放送局Ｓｒｓｔ  予約記録開始時間ＣｋＮ  ジャンルコードＳｄｐｔ  妨害候補番組表Ｓｃ  記録予約指示信号Ｔｐ  延長時間ＴＤｐ  予約−妨害番組表Ｉｐｔ  番組表情報Ｉｐｔｓ、ＩｐｔｓＲ  記録予約番組表情報Ｓｖｐｔ  被害候補組表Ｓｃｒ  記録装置制御信号Ｓｐ  番組信号Ｔｒｔ  記録可能時間Ｓａｒｔ  記録予約容量信号Ｔｐｐ  基準延長時間